(57)【要約】【課題】複数の信号入力元の内、少なくとも１つ以上の電源電圧が変動した場合に、通信ドライバを不用意にアクティブ状態にすることを防止できる信号出力装置を提供する。【解決手段】通信用ドライバ１に対し、２つのマイコンより入力される信号をＡＮＤゲート４を介して負論理の論理和条件で出力する場合に、２つのマイコンの１つは電源ＶCC１が供給され、他の１つは電源ＶCC２が供給されている状態から、電源ＶCC２側の供給が遮断されたとしても、通信用ドライバ１に対するＡＮＤゲート４の出力がインアクティブレベルを維持するように構成する。具体的には、電源ＶCC２が供給されて動作するＮＯＴゲート１２と電源ＶCC１が供給されて動作するＮＯＴゲート１３とを直列に接続し、ＮＯＴゲート１３の入力端子を抵抗素子１４でプルダウンする。【選択図】図１
2008311996.tif 000002
【特許請求の範囲】
【請求項１】
入力信号がアクティブレベルになると、信号線のドライブレベルを変化させる通信用ドライバに対し、複数の信号出力元によって入力される信号を論理和条件で出力する信号出力装置において、
前記複数の信号出力元の内、少なくとも１つは前記通信用ドライバに供給されている電源（ドライバ用電源）とは別系統の電源（特定電源）が供給されており（特定信号出力元）、
前記特定電源の電圧が正常な範囲を超えて変動した場合に、前記通信用ドライバに対する前記論理和条件の出力がインアクティブレベルを維持するように構成される出力レベル維持手段を備えたことを特徴とする信号出力装置。
【請求項２】
前記出力レベル維持手段は、
前記特定電源が供給されて動作し、前記特定信号出力元より出力される信号が入力される第１ＮＯＴゲートと、
前記ドライバ用電源が供給されて動作し、前記第１ＮＯＴゲートより出力される信号が入力される第２ＮＯＴゲートと、
この第２ＮＯＴゲートの入力端子をプルダウンする抵抗素子とで構成され、第２ＮＯＴゲートの出力信号が、論理和入力の１つとなることを特徴とする請求項１記載の信号出力装置。
【請求項３】
前記出力レベル維持手段は、
前記特定電源が供給されて動作し、前記特定信号出力元より出力される信号が入力されるバッファと、
前記ドライバ用電源と、前記特定電源との間に挿入される常開型のスイッチ手段と、
前記ドライバ用電源が供給されて動作すると共に、前記特定電源の電圧レベルを監視し、前記電圧レベルが所定のしきい値を下回ると、前記スイッチ手段を導通させるように制御する制御手段とを備えることを特徴とする請求項１記載の信号出力装置。
【請求項４】
前記出力レベル維持手段は、
前記特定電源が供給されて動作し、前記特定信号出力元より出力される信号が入力されるバッファと、
前記ドライバ用電源と、前記特定電源との間に挿入される整流素子とで構成されることを特徴とする請求項１記載の信号出力装置。
【請求項５】
請求項１乃至４の何れかに記載の信号出力装置と、
前記通信ドライバとを備え、
これらをＳＯＩ（Silicon On Insulator）基板上に形成すると共に、トレンチ分離構造によって絶縁分離したことを特徴とする通信ドライバ装置。
【請求項６】
前記信号出力装置を複数備えると共に、
前記通信ドライバを、前記信号出力装置に対応して複数備えることを特徴とする請求項５記載の通信ドライバ装置。
【発明の詳細な説明】
【技術分野】
【０００１】
本発明は、信号線のレベルを変化させる通信用ドライバに対し、複数の信号出力元によって入力される信号を論理和条件で出力する信号出力装置、及び前記通信ドライバと前記信号出力装置とを備える通信ドライバ装置に関する。
【背景技術】
【０００２】
例えば、車両用の通信ネットワークである車内ＬＡＮにおいては、信号線のレベルを通信規格に応じたレベルにドライブするためのドライバを使用する。その場合、通信ノードの１つとなるＥＣＵ（Electronic Control Unit）において、複数のマイクロコンピュータが搭載されている場合は、各マイコンより出力される信号を１つの通信ドライバを介してネットワーク上に出力できるように構成することが好ましい。
【０００３】
図１２は、車内ＬＡＮの一種であるＣＡＮを用いた場合におけるネットワーク構成の一例を示す。ＣＡＮバスは、２本の信号線１０１（ＣＡＮ＿Ｈｉｇｈ），１０２（ＣＡＮ＿Ｌｏｗ）からなり、これらの信号線１０１，１０２の両端は、１２０Ωの終端抵抗１０３，１０４によって終端されている。そして、信号線１０１，１０２には、複数のＥＣＵ１０５（１，…，ｎ−１，ｎ）が接続されている。
【０００４】
ＥＣＵ１０５は、ＣＡＮコントローラ１０６，ＣＡＮトランシーバ１０７，保護回路１０８等を備えている。ＣＡＮコントローラ１０６は、通信制御を行う部分であり、ＥＣＵ上の図示しないマイコンとの間でデータのシリアル／パラレル変換を行い、ＣＡＮトランシーバ１０７との間でシリアル通信データの送受信を行う。ＣＡＮトランシーバ１０７は信号線１０１，１０２に接続されており、ＣＡＮコントローラ１０６より入力される送信データＴＸＤに応じて信号線１０１，１０２をドライブしたり、他のＥＣＵ１０５によってドライブされた信号線１０１，１０２よりデータを受信して、受信データＲＸＤをＣＡＮコントローラ１０６に出力する。保護回路１０８は、前記１０１，１０２過電圧の印加、外部サージ（静電気）等に対して、ＣＡＮトランシーバＩＣの保護動作を行う。
【０００５】
そして図１３は、上記のような通信ネットワークにおいて、ＥＣＵ１０５に複数のマイクロコンピュータが搭載されることを想定した場合に、ＣＡＮトランシーバ１０７のドライバ部分の構成を示すものである。通信ドライバ１は、ロウアクティブ構成となっており、２つの信号出力元より出力される信号は、バッファ２，３及びＡＮＤゲート（負論理のＯＲ）４を介して通信ドライバ１の入力端子に与えられている。ここで、２つの信号出力元（例えばマイコン）に供給される電源が別系統である場合を想定する。入力信号（１）側は、通信ドライバ１と共通の電源ＶCC１が供給されており、バッファ２の動作用電源も電源ＶCC１となっている。また、バッファ２の入力端子は、抵抗素子５により電源ＶCC１にプルアップされている。
一方、入力信号（２）側は、通信ドライバ１とは異なる電源ＶCC２が供給されており、バッファ３の動作用電源も電源ＶCC２となっている。また、バッファ３の入力端子は、抵抗素子６により電源ＶCC２にプルアップされている。以上が通信ドライバ装置７を構成している。
【０００６】
尚、特許文献１には、車内ＬＡＮの通信装置に関する技術が開示されているが、上記のような構成を想定したものではなく、技術課題に関連性はない。
【特許文献１】特表２００１−５１５８１４号公報
【発明の開示】
【発明が解決しようとする課題】
【０００７】
しかしながら、図１３に示す構成では、電源ＶCC２側が例えば車両のイグニッションスイッチを介して供給されるものであり、そのイグニッションスイッチがＯＦＦされて電源供給が遮断されると、バッファ３の出力レベルがロウになる。すると、ＡＮＤゲート４を介して通信ドライバ１の入力端子にロウレベル信号が出力される結果、通信用の信号線１０１，１０２がドライブされてしまうという問題があった。
【０００８】
本発明は上記事情に鑑みてなされたものであり、その目的は、複数の信号入力元の内、少なくとも１つ以上の電源電圧が変動した場合に、通信ドライバを不用意にアクティブ状態にすることを防止できる信号出力装置並びにその信号出力装置を備えて構成される通信ドライバ装置を提供することにある。
【課題を解決するための手段】
【０００９】
請求項１記載の信号出力装置によれば、通信用ドライバに対し、複数の信号出力元によって入力される信号を論理和条件で出力する場合に、それらの内、少なくとも１つは通信用ドライバに供給されている電源とは別系統の電源（特定電源）が供給される。そして、出力レベル維持手段は、特定電源の電圧が正常な範囲を超えて変動した場合に、通信用ドライバに対する論理和条件の出力がインアクティブレベルを維持するように作用する。したがって、信号出力元が意図して信号レベルを変化させたわけではなく、特定電源が変動したことに基づいて論理和条件出力が不用意にアクティブに変化することを防止できる。
【００１０】
請求項２記載の信号出力装置によれば、出力レベル維持手段は、特定電源が供給されて動作し、特定信号出力元からの信号が入力される第１ＮＯＴゲートと、ドライバ用電源が供給されて動作し、第１ＮＯＴゲートからの出力信号が入力される第２ＮＯＴゲートと、第２ＮＯＴゲートの入力端子をプルダウンする抵抗素子とで構成される。この場合、通信ドライバはロウアクティブ構成を想定している。
すなわち、２つのＮＯＴゲートが直列に接続されるので、特定信号出力元より信号される信号は同相で論理和入力に与えられる。そして、例えば特定電源の供給が遮断されたとしても、入力端子がプルダウンされている第１ＮＯＴゲートは論理和入力にハイレベル信号を出力するので、論理和条件出力がアクティブに変化することを防止できる。
【００１１】
請求項３記載の信号出力装置によれば、制御手段は、ドライバ用電源が供給されて動作すると共に特定電源の電圧レベルを監視し、その電圧レベルが所定のしきい値を下回ると、ドライバ用電源と特定電源との間に挿入される常開型のスイッチ手段を導通させる。したがって、例えば特定電源の供給が遮断されたとしても、特定信号出力元からの信号が入力されるバッファには、スイッチ手段を介してドライバ用電源が供給されるので、バッファの出力信号をインアクティブレベルに維持することができる。
【００１２】
請求項４記載の信号出力装置によれば、出力レベル維持手段は、特定電源が供給されて動作し、特定信号出力元より出力される信号が入力されるバッファと、ドライバ用電源と、特定電源との間に挿入される整流素子とで構成される。したがって、例えば特定電源の供給が遮断されたとしても、特定信号出力元からの信号が入力されるバッファには、整流素子を介してドライバ用電源が供給されるので、バッファの出力信号をインアクティブレベルに維持することができる。
【００１３】
請求項５記載の信号出力装置によれば、請求項１乃至４の何れかに記載の信号出力装置と通信ドライバとを備え、これらをＳＯＩ基板上に形成すると共に、トレンチ分離構造によって絶縁分離する。斯様に構成すれば、ＰＮ接合分離を使用した場合のように寄生素子の作用によるラッチアップが発生することを防止できる。
【００１４】
請求項６記載の信号出力装置によれば、信号出力装置を複数備えると共に、通信ドライバを、信号出力装置に対応して複数備えるので、ＳＯＩ基板上にトレンチ分離構造を採用することで、同一基板上に複数の通信ドライバを搭載する場合でも、それらの間における絶縁状態を良好に確保することができる。
【発明を実施するための最良の形態】
【００１５】
（第１実施例）
以下、本発明の第１実施例について図１を参照して説明する。尚、図１３と同一部分には同一符号を付して説明を省略し、以下異なる部分について説明する。本実施例の通信ドライバ装置１１は、図１３に示す構成のバッファ３をＮＯＴゲート１２（第１ＮＯＴゲート，出力レベル維持手段）に置き換えると共に、そのＮＯＴゲート１２とＡＮＤゲート４との間に、もう１つのＮＯＴゲート１３（第２ＮＯＴゲート，出力レベル維持手段）が挿入されている。尚、入力（１），（２）の配置は、図１３と上下が逆になっている。
【００１６】
ＮＯＴゲート１３には、電源ＶCC１（ドライバ用電源）が供給されており、ＮＯＴゲート１３の入力端子は、抵抗素子１４（出力レベル維持手段）によってプルダウンされている。以上の構成において、通信ドライバ装置１１より通信ドライバ１を除いたものが、信号出力装置１５に対応する。
【００１７】
次に、本実施例の作用について説明する。通信ドライバ装置１１においては、電源ＶCC２（特定電源）が遮断された場合でも、ＮＯＴゲート１３の入力端子は、プルダウン抵抗１４によりグランドレベルとなるので、ＡＮＤゲート４にはハイレベルが出力される。したがって、ＡＮＤゲート４を介して通信ドライバ１にロウレベル信号が出力されることは阻止される。
【００１８】
以上のように本実施例によれば、通信用ドライバ１に対し、２つのマイコンより入力される信号をＡＮＤゲート４を介して負論理の論理和条件で出力する場合に、２つのマイコンの１つは電源ＶCC１が供給され、他の１つは電源ＶCC２が供給されている状態から、電源ＶCC２側の供給が遮断されたとしても、通信用ドライバ１に対するＡＮＤゲート４の出力がインアクティブレベルを維持するようにした。具体的には、電源ＶCC２が供給されて動作するＮＯＴゲート１２と、電源ＶCC１が供給されて動作するＮＯＴゲート１３とを直列に接続し、ＮＯＴゲート１３の入力端子を抵抗素子１４でプルダウンするようにした。したがって、特定信号出力元であるマイコンが意図して信号レベルを変化させたわけではなく、電源ＶCC２が変動したことに基づいて論理和条件出力が不用意にアクティブに変化することを防止できる。
【００１９】
（第２実施例）
図２及び図３は本発明の第２実施例を示すものであり、第１実施例と同一部分には同一符号を付して説明を省略し、以下異なる部分について説明する。第２実施例は、通信ドライバを、具体的に車内ＬＡＮの一種であるＣＡＮに準拠した構成として示すもので、信号出力装置１５の構成は第１実施例と同様である。
【００２０】
ＡＮＤゲート４の出力端子は、通信ドライバ１６を構成するバッファ１７，ＮＯＴゲート１８を介して、ＰチャネルＭＯＳＦＥＴ１９，ＮチャネルＭＯＳＦＥＴ２０のゲートにそれぞれ接続されている。ＦＥＴ１９のソースは電源ＶCC１に，ＦＥＴ２０のソースはグランドに接続されており、ＦＥＴ１９のドレインは、抵抗素子２１〜２４の直列回路を介してＦＥＴ２０のドレインに接続されている。
【００２１】
抵抗素子２２及び２３の共通接続点には、基準電源２５より基準電圧Ｖrefが供給されている。そして、抵抗素子２１及び２２の共通接続点，抵抗素子２３及び２４の共通接続点は通信ドライバ１６の出力端子であり、それぞれＣＡＮの通信信号線であるＣＡＮ＿Ｈｉｇｈ，ＣＡＮ＿Ｌｏｗに接続される。
【００２２】
次に、第２実施例の作用について説明する。ＡＮＤゲート４の出力端子がハイレベルの場合、通信ドライバ１６はインアクティブ状態となる。この時、ＦＥＴ１９，２０は何れもＯＦＦとなるので、出力端子の電位は何れも基準電圧Ｖrefとなり、両者に電位差は発生しない（０Ｖ）。したがって、通信信号線は「レセッシブレベル」となる。
【００２３】
一方、信号出力装置１５の入力端子の何れか一方がロウレベルになることで、ＡＮＤゲート４の出力端子がロウレベルとなる場合、通信ドライバ１６はアクティブ状態となる。この時、ＦＥＴ１９，２０は何れもＯＮとなるので、抵抗素子２１〜２４の直列回路に電流が流れ、２つの出力端子間には、抵抗素子２２，２３の抵抗値に応じた電位差が発生する。したがって、通信信号線は「ドミナントレベル」となる。尚、ＣＡＮのハイスピード規格（ＩＳＯ１１８９８）におけるドミナント電圧は１．５Ｖ〜３．５Ｖの範囲である。図３には、上記のように信号線間電位差がレセッシブレベルとドミナントレベルとの間で変化する場合の電圧変化を示す。
以上のように第２実施例によれば、ＣＡＮに準拠して構成される通信ドライバ１６に対して、本発明を適用することができる。
【００２４】
（第３実施例）
図４は本発明の第３実施例を示すものであり、第１実施例と異なる部分のみ説明する。第３実施例の構成は、第１実施例の構成を、信号出力元が「３」以上の場合に対応するように拡張したものである。すなわち、電源ＶCC２側の入力（２）が、入力（２＿１），…，（２＿ｎ）のｎ本となっており、それに応じてＡＮＤゲート４は、（ｎ＋１）入力のＡＮＤゲート２６に置き換わっている。以上が信号入出力装置２７を構成している。
以上のように構成される第３実施例によれば、信号出力元が「３」以上の場合にも対応することができる。
【００２５】
（第４実施例）
図５は本発明の第４実施例を示すものである。第４実施例は、ＮＯＴゲート１３を、電源ＶCC１とグランドとの間に接続されるＰチャネルＭＯＳＦＥＴ２７と抵抗素子２８との直列回路で構成したものであり、両者の共通接続点（ＦＥＴ２７のソース）がＡＮＤゲート４の入力端子に接続されている。
斯様に構成すれば、入力（２）のレベルがハイの場合、ＦＥＴ２７がＯＮすることでＡＮＤゲート４の入力端子はハイレベルとなり、入力（２）のレベルがロウになると、ＦＥＴ２７がＯＦＦすることでＡＮＤゲート４の入力端子はロウレベルとなる。
【００２６】
（第５実施例）
図６は本発明の第５実施例を示すものである。第５実施例は、ＮＯＴゲート１３を、電源ＶCC１とグランドとの間に接続される抵抗素子２９とＮＰＮトランジスタ３０との直列回路で構成したものであり、両者の共通接続点（トランジスタ３０のコレクタ）がＡＮＤゲート４の入力端子に接続されている。
斯様に構成すれば、入力（２）のレベルがハイの場合、トランジスタ３０がＯＦＦすることでＡＮＤゲート４の入力端子はハイレベルとなり、入力（２）のレベルがロウになると、トランジスタ３０がＯＮすることでＡＮＤゲート４の入力端子はロウレベルとなる。
【００２７】
（第６実施例）
図７は本発明の第６実施例を示すものである。第６実施例は、第１実施例における通信ドライバ１を除く構成を、バイポーラトランジスタで構成したものである。バッファ２はコンパレータ３１と基準電源３２とで構成され、ＮＯＴゲート１２はコンパレータ３３と基準電源３４とで構成されている。ＮＯＴゲート１３は第５実施例と同様の構成であり、ＡＮＤゲート４は、電流源３５，抵抗素子３６及びＮＰＮトランジスタによる差動対３７の直列回路と、抵抗素子３８及びＮＰＮトランジスタ３９の直列回路とで構成されている。
【００２８】
差動対３７を構成するするトランジスタのベースは、一方がコンパレータ３１の出力端子に接続され、他方がトランジスタ３０のコレクタに接続されている。抵抗素子３８及びトランジスタ３９の直列回路は、電源ＶCC１とグランドとの間に接続されており、トランジスタ３９のベースは、差動対３７のトランジスタのコレクタに接続されている。そして、トランジスタ３９のコレクタが、通信ドライバ１の入力端子に接続されている。
以上のように第６実施例によれば、信号出力装置１５をバイポーラ素子によって構成することができる。
【００２９】
（第７実施例）
図８は本発明の第７実施例を示すものであり、図１３の構成と異なる部分のみ説明する。第７実施例の構成は、入力（２）側が従来構成と同様のバッファ３を介してＡＮＤゲート４の入力端子に接続されている。そして、電源ＶCC１と電源ＶCC２との間に、ダイオード（整流素子）４０が接続されている。以上が、信号出力装置４１を構成している。
以上のように構成される第７実施例によれば、電源ＶCC２の供給が断たれた場合でも、入力（２）側には、電源ＶCC１がダイオード４０を介して供給されるので、バッファ３は動作すると共に、その入力端子もプルアップ状態を維持する。したがって、ＡＮＤゲート４の入力端子にロウレベル信号が出力されることはなく、通信ドライバ１に対する信号出力をインアクティブレベルに維持することができる。
【００３０】
（第８実施例）
図９は本発明の第８実施例を示すものであり、第７実施例と異なる部分のみ説明する。第８実施例では、ダイオード４０に替えて常開型のスイッチ回路（スイッチ手段）４２が配置されている。ＣＰＵ（制御手段）４３は、電源ＶCC１が供給されて動作し、電源ＶCC２の電圧レベルを監視すると共にスイッチ回路４２の開閉制御を行うようになっている。以上が信号出力装置４４を構成している。尚、スイッチ回路４２は、例えばアナログスイッチで構成する。また、ＣＰＵ４３は、バッファ３を介して通信データを送信するマイコンのＣＰＵであっても良い。
【００３１】
次に、第８実施例の作用について説明する。ＣＰＵ４３は、動作中は電源ＶCC２の電圧レベルを例えばコンパレータ等を介して監視している。そして、電源ＶCC２の供給が遮断されて電圧レベルが低下し、所定のしきい値を下回ったことをＣＰＵ４３が検出すると、スイッチ回路４２を閉じるように制御する。すると、バッファ２に対しては、電源ＶCC１がスイッチ回路４２を介して供給されるので、入力端子のプルアップ状態は維持される。したがって、ＡＮＤゲート４の入力端子にロウレベル信号が出力されることはなく、通信ドライバ１に対する信号出力をインアクティブレベルに維持することができる。
【００３２】
（第９実施例）
図１０及び図１１は本発明の第９実施例を示すものである。図１０（ａ）は、例えば第１実施例における通信ドライバ装置１１を半導体基板上に構成した場合を示す、半導体構造の模式的断面図である。通信ドライバ装置１１を構成する各回路素子を、埋め込み酸化膜（ＳｉＯ2）５１を有するＳＯＩ（Silicon On Insulator）基板５２上に形成する。そして、例えばＣＭＯＳＦＥＴなどを、埋め込み酸化膜５１に達するトレンチ５３の内部に酸化膜材料（絶縁膜材料）５４を埋設することでトレンチ分離された領域に形成する。
【００３３】
例えば、図１０（ｂ）に示すようにＰＮ接合分離構造を採用した場合には、寄生素子を介してＰＭＯＳ側からＮＭＯＳ側に電流が回り込むラッチアップが発生し、貫通電流が流れるおそれがある。これに対して、図１０（ａ）に示す構成を採用すれば、素子間に寄生素子が存在しないため、ラッチアップの発生が回避される。
以上のように第９実施例によれば、通信ドライバ装置１１を、ＳＯＩ基板５２上に形成すると共に、トレンチ分離構造によって絶縁分離するので、ＰＮ接合分離を使用した場合のように寄生素子の作用によるラッチアップが発生することを防止できる。
【００３４】
（第１０実施例）
図１１は本発明の第１０実施例を示すものである。第１０実施例では、第９実施例の図１０（ａ）に示す構造を採用して、１つの半導体チップ５５上に２つの通信ドライバ１６（ＣＡＮドライバ）を形成した場合を示す。尚、通信ドライバ１に対応して信号出力装置１５も２組搭載される。すなわち、ＳＯＩ基板上にトレンチ分離構造を採用することで絶縁状態が良好に確保されるので、比較的大きな電力を扱う通信ドライバ１６を２つ形成しても、互いの信号が干渉することは回避される。
【００３５】
本発明は上記し且つ図面に記載した実施例にのみ限定されるものではなく、以下のような変形または拡張が可能である。
通信ドライバは、ロウアクティブ構成に限ることなく、ハイアクティブ構成であっても良い。
第７実施例において、ダイオード４０に替えて、ダイオード接続したトランジスタを整流素子として使用しても良い。
第９実施例において、１つの半導体チップ上に通信ドライバを３個以上形成しても良い。
車内ＬＡＮに関する通信に限る必要はない。
【図面の簡単な説明】
【００３６】
【図１】本発明の第１実施例であり、通信ドライバ装置の構成を示す図
【図２】本発明の第２実施例を示す図１相当図
【図３】ＣＡＮにおけるバスのドライブレベルを説明する図
【図４】本発明の第３実施例を示す図１相当図
【図５】本発明の第４実施例を示す図１相当図
【図６】本発明の第５実施例を示す図１相当図
【図７】本発明の第６実施例を示す図１相当図
【図８】本発明の第７実施例を示す図１相当図
【図９】本発明の第８実施例を示す図１相当図
【図１０】本発明の第９実施例であり、（ａ）は通信ドライバ装置を半導体基板上に構成した場合を示す半導体構造の模式的断面図、（ｂ）はＰＮ接合分離構造を採用した場合を示す模式的断面図
【図１１】本発明の第１０実施例であり、１つの半導体チップ上に２つの通信ドライバ装置を構成した状態を示す半導体チップの概略的な平面図
【図１２】従来技術を示すＣＡＮのネットワーク構成図
【図１３】図１相当図
【符号の説明】
【００３７】
図面中、１は通信ドライバ、１１は通信ドライバ装置、１２はＮＯＴゲート（第１ＮＯＴゲート，出力レベル維持手段）、１３はＮＯＴゲート（第２ＮＯＴゲート，出力レベル維持手段）、１４は抵抗素子（出力レベル維持手段）、１５は信号出力装置、１６は通信ドライバ、２７は信号入出力装置、４０はダイオード（整流素子）、４１は信号出力装置、４２はスイッチ回路（スイッチ手段）、４３はＣＰＵ（制御手段）、４４は信号出力装置、５２はＳＯＩ基板、５５は半導体チップを示す。
【図１】
2008311996.tif 000003
【図２】
2008311996.tif 000004
【図３】
2008311996.tif 000005
【図４】
2008311996.tif 000006
【図５】
2008311996.tif 000007
【図６】
2008311996.tif 000008
【図７】
2008311996.tif 000009
【図８】
2008311996.tif 000010
【図９】
2008311996.tif 000011
【図１０】
2008311996.tif 000012
【図１１】
2008311996.tif 000013
【図１２】
2008311996.tif 000014
【図１３】
2008311996.tif 000015